(57)【要約】【課題】本発明は着脱可能で、脱落を防止できる入隅壁面取付用の収納用具の提供を目的とする。【解決手段】本発明は、室内の内壁の入隅部に配置される外周枠と底部を有する収納用具本体と、収納用具本体を下方より受ける係合部と、上方より押さえる押さえ部を備えた収納用具において、外周枠が、入隅部の左側の内壁に沿って延在される外周枠左側後部と、入隅部の右側の内壁に沿って延在される外周枠右側後部と、外周枠左側後部の左右両端および外周枠右側後部の左右両端よりそれぞれ内側の位置より下方に延設された外周枠縦延出部と、外周枠縦延出部の下側に形成された外周枠下部を具備し、内壁の一方に同一高さ位置に離間して設けた２個の係合部と、内壁の他方に１個の係合部と押さえ部を設けたことを特徴とする。【選択図】図１
2020006103.tif 000002
【特許請求の範囲】
【請求項１】
室内の内壁の入隅部に配置される外周枠と底部を有する収納用具本体と、前記収納用具本体を下方より受ける係合部と、前記収納用具本体を上方より押さえる押さえ部を備えた収納用具において、
前記外周枠が、前記入隅部の左壁に沿って横向きに延在される外周枠左側後部と、前記入隅部の右壁に沿って横向きに延在される外周枠右側後部と、前記外周枠左側後部の左右両端および前記外周枠右側後部の左右両端よりそれぞれ内側の位置より下方に延設された外周枠縦延出部と、前記外周枠縦延出部の下側に形成された外周枠下部を具備し、
前記左右の内壁の一方に同一高さ位置に離間して設けた２個の係合部と、前記左右の内壁の他方に前記係合部と同一高さ位置であって前記入隅から離間させて設けた１個の係合部と、前記左右の内壁の他方に前記係合部より下方の高さ位置で前記入隅側に設けた押さえ部を設けたことを特徴とする入隅壁面取付用収納用具の取付構造。
【請求項２】
前記係合部による前記外周枠の支持部分の横断面外形寸法に対して、前記係合部の係合支持部の幅を１.５倍〜３倍とすることを特徴とする請求項１に記載の入隅壁面取付用収納用具の取付構造。
【請求項３】
前記押さえ部による前記外周枠の支持部分の横断面外形寸法に対して、前記押さえ部の押さえ支持部の突出寸法を１倍〜２倍とすることを特徴とする請求項１乃至２に記載の入隅壁面取付用収納用具の取付構造。
【請求項４】
前記収納用具本体が線材で構成されていることを特徴とする請求項１乃至請求項２に記載の入隅壁面取付用収納用具の取付構造。
【発明の詳細な説明】
【技術分野】
【０００１】
本発明は、室内内壁の入隅部に取付けられる収納用具の取付構造に関する。
【背景技術】
【０００２】
従来、室内内壁の入隅部に取付けられる収納用具は、収納部の前方を上方から押圧されると、収納部の入隅角部側が上方に跳ね上がり、収納部が脱落する虞があるため、収納部を直接壁面にビス等を用いて固定する構造が広く用いられている。
【０００３】
そこで、入隅双方の壁面に取付けられた支持具の支持片を、コーナー棚本体の案内溝に挿入して保持し、入隅部に配置した固定具とコーナー棚本体をビスで連接することで、コーナー棚本体の脱落防止と、取付け作業を容易に行う構造が開示されている。（特許文献１参照）
【０００４】
また、板状の取付部材にボス部を設け、このボス部にコーナー棚の凹部を引掛けてコーナー棚を着脱可能にすると共に、取付部材を水平方向に移動させたり、ボス部を突出させることで、入隅の角度が多少鋭角や鈍角であっても、コーナー棚を装着できる構造が開示されている。（特許文献２参照）
さらに、特許文献２には、コーナー棚の左右両端に設けた縦溝に、取付部材に設けた転倒防止リブを嵌り込むことで、コーナー棚がひっくり返ることを防止する構造が開示されている。
【０００５】
また、線材の屈曲垂下部に係合部を係合させて整理用具本体を平面状の壁面に着脱可能とした構造が開示されている。（特許文献３参照）
【先行技術文献】
【特許文献】
【０００６】
【特許文献１】実開平４−１２３１９６号公報
【特許文献２】特開２００７−３１３０３２号公報
【特許文献３】特開２０１６−４７１１９号公報
【発明の概要】
【発明が解決しようとする課題】
【０００７】
特許文献１に記載の従来構造では、コーナー棚本体を横長の掛支片と固定具とを介して壁へ固定させてしまうため、コーナー棚本体と壁面との堺部分に埃等が蓄積しやすく、この埃等を拭き取り難い問題がある。また、コーナー棚本体を外して清掃する際にはビスを取り外す必要があり、ビスを外す為の工具が必要であり、さらにはコーナー棚本体の清掃・交換の着脱作業により固定具やビスを紛失してしまう虞があるなどの問題点があった。
【０００８】
特許文献２に記載の従来構造では、コーナー棚の着脱及び脱落防止を行うことが可能となっている。しかし、取付部材の板部と壁面との間やボス部の周り、そして転倒防止に用いる細長のリブや縦溝の形状により、汚れやカビ等が付着しやすい上に、清掃性が良くないなどの問題点があった。
さらに、コーナー棚が取付部材を上方より覆い隠すために、コーナー棚が確実に嵌め込まれていない状態で使用されてしまう虞があるなどの問題点があった。
【０００９】
特許文献３に記載の従来構造では、整理用具本体の着脱性に優れ、整理用具本体のみならず係合部の清掃性にも優れている。しかし、整理用具本体の２面に係合部を設け、入隅壁面に取付けた場合、収納部の前方を上方から押圧すると、収納部の入隅角部側が上方に跳ね上がる虞があり、収納部が脱落する虞があるなどの問題点があり、入隅部には採用することが出来なかった。
【００１０】
本発明は、上記の従来の問題点を鑑みなされたものであって、室内内壁の入隅部に取付けられる収納用具本体が着脱可能で、且つ、脱落を防止することができる入隅壁面取付用収納用具の取付構造を提供することにある。
【課題を解決するための手段】
【００１１】
本発明は、前記課題を解決する手段として、以下の構成を有する。
（１）本発明に係る入隅壁面取付用収納用具の取付構造は、室内の内壁の入隅部に配置される外周枠と底部を有する収納用具本体と、前記収納用具本体を下方より受ける係合部と、前記収納用具本体を上方より押さえる押さえ部を備えた収納用具において、前記外周枠が、前記入隅部の左壁に沿って横向きに延在される外周枠左側後部と、前記入隅部の右壁に沿って横向きに延在される外周枠右側後部と、前記外周枠左側後部の左右両端および前記外周枠右側後部の左右両端よりそれぞれ内側の位置より下方に延設された外周枠縦延出部と、前記外周枠縦延出部の下側に形成された外周枠下部を具備し、前記左右の壁の一方に同一高さ位置に離間して設けた２個の係合部と、前記左右の壁の他方に前記係合部と同一高さ位置であって前記入隅から離間させて設けた１個の係合部と、前記左右の壁の他方に前記係合部より下方の高さ位置で前記入隅側に設けた押さえ部を設けたことを特徴とする。
【００１２】
外周枠左側後部と外周枠右側後部のうち、一方を２個の係合部で下方より受け、他方を１個の係合部で下方より受け、１個の押さえ部で上方より押さえるので、外周枠左側後部と外周枠右側後部を合計３個の係合部で下方より受け、１個の押さえ部で上方より押さえることとなる。収納用具本体は底部に物品を設置して使用するが、収納用具本体の底部の前方側に物品を収容すると、下方からの支持のみでは収納用具本体に回転力が作用し、収納用具本体の入隅側が浮き上がる虞があるが、この浮き上がりを押さえ部が阻止する。
３個の係合部が外周枠左側後部と外周枠右側後部を押さえる位置が同一高さであり、１個の押さえ部がそれらよりも低い位置を上から押さえるので、収納用具本体に物品の収納により生じようとする回転力を押さえることができる。
【００１３】
（２）本発明に係る入隅壁面取付用収納用具の取付構造において、前記係合部による前記外周枠の支持部分の横断面外形寸法に対して、前記係合部の係合支持部の幅を１.５倍〜３倍とすることが好ましい。
【００１４】
係合支持部の幅を１.５倍〜３倍とすることにより、外周枠の支持部分を係合支持部が支持した場合に、外周枠の支持部分が左右方向に完全に拘束される訳ではなく、外周枠の支持部分が多少のゆとりをもって支持される。このゆとり分を利用し、収納用具本体を左右方向あるいは斜め方向に位置をずらしながらの着脱作業ができる。このため、収納用具本体の着脱作業を容易に行う事ができる。
さらに、入隅を構成する左壁と右壁が９０度正確な交差ではなく、９０度よりも鋭角や鈍角に建て付けられた場合であっても、係合支持部がゆとりを持って収納用具本体を支持するので、このゆとり分で左壁と右壁の建て付け誤差分を吸収することができる。このため、９０度よりも鋭角や鈍角に建て付けられた入隅の場合であっても、支障なく着脱ができる収納用具本体を提供できる。
【００１５】
（３）本発明に係る入隅壁面取付用収納用具の取付構造において、前記押さえ部による前記外周枠の支持部分の横断面外形寸法に対して、前記押さえ部の押さえ支持部の突出寸法を１倍〜２倍とすることが好ましい。
【００１６】
押さえ部による外周枠の支持部分の横断面寸法に対し、押さえ支持部の突出寸法を１〜２倍とするならば、押さえ支持部を外周枠から外すことなく確実に外周枠を上方から押さえることができる。また、押さえ支持部の突出寸法を必要以上に長くしていないので、３個の係合部の係合支持部に沿わせて収納用具本体を若干斜め方向に傾斜させることで押さえ支持部による外周枠の押さえを実施するか、押さえ支持部を外周枠から取り外しするかのいずれでも実施できるようになる。このため、収納用具本体の着脱が容易となる。
【００１７】
（４）本発明に係る入隅壁面取付用収納用具の取付構造において、前記収納用具本体が線材で構成されていることが好ましい。
【００１８】
収納用具本体を線材で形成することで収納用具本体とその周囲およびその背後側を容易に目視できるので、係合部と押さえ部により外周枠を確実に係合支持し、押さえていることの確認が容易である。また、収納用具本体を通して入隅側の壁を目視することが容易となり、収納用具本体背後側の壁の汚れなどの把握が容易となり、収納用具本体の取り外し性が良好であることと相俟って清掃性に優れる特徴を有する。
【発明の効果】
【００１９】
本発明の入隅壁面取付用収納用具の取付構造によれば、左右の壁に設けた係合部材と押さえ部材により、室内の左右の壁の入隅部に取付けられる収納用具本体の着脱性能を保ちつつ、収納用具本体前方への上方からの押圧による収納用具本体の入隅側の浮きや脱落の防止を図ることができる。
さらに、係合部や押さえ部が入隅部の左右の壁面に点在固定されており、係合部や押さえ部により覆われていない壁面の面積を大きくできるので、壁面の清掃性の悪化を最小限に止めることができる。
【００２０】
また、係合部で支持している部分の外周枠の断面外形寸法に対して、係合部の係合支持部の幅を１．５〜３倍とすることにより、収納用具本体の着脱作業を容易に行う事ができ、さらに、入隅が９０度正確ではなく、９０度よりも鋭角や鈍角に建て付けられた場合でも収納用具本体を着脱することができる。
【００２１】
また、押さえ部で支持している部分の外周枠の断面外形寸法に対して、押さえ部の押さえ支持部の突出寸法を１〜２倍とすることにより、収納用具本体の脱落を防止することができ、さらに、着脱作業の容易性を阻害することがない。
【００２２】
また、収納用具本体を線材で構成することで、外周枠に設ける係合当接部及び押さえ当接部の形成の容易性を図ることができ、さらに、収納用具本体が係合部及び押さえ部と係合していることを、収納用具本体の上面側より確認することができる。
【図面の簡単な説明】
【００２３】
【図１】本発明の第１実施形態の収納用具本体を入隅の壁面に取付けた状態を示す斜視図である。
【図２】同収納用具本体に適用する係合部と押さえ部を入隅の壁面に取付けた状態を示す斜視図である。
【図３】同収納用具本体が係合部に係合している状態を示す断面図である。
【図４】同収納用具本体を入隅の壁面より着脱する前後の状態を示す斜視図である。
【図５】図４において、入隅部の左側の壁を正面とした側面図である。
【図６】入隅が鋭角な場合の収納用具本体の取付け状態を示す平面図である。
【図７】入隅が鈍角な場合の収納用具本体の取付け状態を示す平面図である。
【図８】本発明の第１実施形態に係る入隅壁面取付用収納用具の使用状態を示す斜視図である。
【図９】押さえ部を用いない場合の収納用具本体の跳ね上げ状態を示す斜視図である。
【発明を実施するための形態】
【００２４】
以下、本発明の第１実施形態について図面を挙げて詳細を説明する。
本発明の入隅壁面取付用収納用具は、室内等の入隅４の左壁５、右壁６に跨って取り付けられて物品を収納する収納用具本体１からなる。
図１に示すように、収納用具本体１と、左壁５に左右に離間して水平に固定された２つの係合部２と、右壁６へ左壁５の係合部２と同じ高さに固定された１つの係合部２が設けられ、この１つの係合部２が入隅４より離間した位置に固定されている。さらに、前記右壁６に固定された係合部２より若干下方で、且つ、右壁６の入隅４側に押さえ部３が固定されている。
【００２５】
本実施形態の収納用具本体１は、図１に示す様に、外周枠１１０と底部１２０と中枠１３０を有し、各々がステンレス鋼棒などの金属線材の折り曲げ加工と溶接により一体構成されており、平面視略五角形に形成されている。尚、平面視の形状は略扇型・略三角形・略四角形など、目的の収納物品の形状に合わせて適時採用することができる。
【００２６】
収納用具本体１の外周枠１１０において、図１に示す様に、外周枠左側後部１１１の両端より内側の部分を下方に屈曲して凹部１０８が形成され、この凹部１０８の底部に位置する外周枠下部１１４と、凹部１０８の内側部に位置する外周枠縦延出部１１５が形成されている。
また、外周枠右側後部１１２も同様に凹部１０９が形成され、外周枠下部１１４と外周枠縦延出部１１５が形成されている。
【００２７】
凹部１０８の左右の外周枠縦延出部１１５から外側に延出される部分には側面視倒Ｌ型あるいは逆Ｌ型の下方屈曲部１１８が形成されている。
外周枠左側後部１１１と外周枠右側後部１１２は、平面視Ｌ型に配置され、外周枠左側後部１１１と外周枠右側後部１１２の接合部分に外周枠入隅部１１３が形成され、この外周枠入隅部１１３が入隅４の直前に配置されている。
【００２８】
外周枠左側後部１１１と外周枠右側後部１１２を接続した外周枠入隅部１１３を外周枠左側後部１１１の基端側および外周枠右側後部１１２の基端側とすると、外周枠左側後部１１１と外周枠右側後部１１２の間にはこれらの基端側から先端側にかけて金属線材からなる支持ロッド１０１が所定間隔で複数水平に設けられている。
これらの支持ロッド１０１は、外周枠左側後部１１１と外周枠右側後部１１２に対し約４５度の傾斜角度を有するように、その両端部を外周枠左側後部１１１の外周枠下部１１４と外周枠右側後部１１２の外周枠下部１１４に接続するように設けられている。これらの支持ロッド１０１は、各々の両端部を外周枠左側後部１１１の外周枠下部１１４と外周枠右側後部１１２の外周枠下部１１４に溶接し一体化されている。
【００２９】
外周枠左側後部１１１の左側端部と外周枠右側後部１１２の右側端部は前記支持ロッド１０１と略同等方向に延在する前端上部枠１０２で接続されており、その下方に前端中枠１０３が設けられている。
この前端中枠１０３は、外周枠左側後部１１１の左側端部と外周枠右側後部１１２の右側端部から垂下された縦延出片１０６によって両端を支持されている。また、縦延出片１０６の下端部には水平方向に延出された支持ロッド１０１が形成され、この支持ロッド１０１は他の支持ロッド１０１と平行に延在されている。
【００３０】
前側上部枠１０２の中央部は支持ロッド１０１と平行に延在されているが、両端側は折曲されて外周枠左側後部１１１の左側端部と外周枠右側後部１１２の右側端部に一体化されている。これらの折曲部にも縦延出片１０６が２本間隔をあけて垂下され、これらの縦延出片１０６の下端部にも水平方向に延出された支持ロッド１０１が形成されている。
【００３１】
収納用具本体１において、外周枠左側後部１１１と外周枠右側後部１１２に対し約４５度の傾斜角度で延在された複数本の支持ロッド１０１により収納用具本体１の底部１２０が構成されている。これら支持ロッド１０１により構成される底部１２０が後述する収納物品７の載置部となる。
また、収納用具本体１において、前端に位置する前端上部枠１０２と前端中枠１０３が後述する収納物品７の倒れ止めとなっている。
【００３２】
左壁５と右壁６に取り付けられている係合部２は、図２、図３に示す様に、壁面に接して固定される円板状の係合突き当て部２１０と、外周枠１１０を受ける柱状の係合支持部２２０と、係合支持部２２０の前方に設けた係合蓋２３０で構成されている。係合支持部２２０の上方に外周枠１１０と嵌合する係合溝２４０が形成されている。
【００３３】
押さえ部３は図２に示す様に、壁面に接する円板状の押さえ突き当て部３１０と、この押さえ突き当て部３１０から直角に突出する円柱状の押さえ支持部３２０で構成されている。押さえ支持部３２０の突出寸法は、外周枠１１０の断面外寸（外周枠１１０を構成する金属線材の横断面外径）に対して１倍〜２倍程度に設定することで、取付け取外し動作に影響を与えず、尚且つ、収納用具本体１を確実に押さえることができる。
【００３４】
図２に示す様に、係合部２及び押さえ部３は壁面に点在して配置されており、左壁５、右壁６を室内側より覆い隠す面積が少なく、収納用具本体１の取付け箇所の清掃性を極力損なうことがない。
【００３５】
図３に示す様に、外周枠１１０を構成する金属線材の断面外寸に対して係合溝２４０の幅の寸法（係合蓋２３０と係合突き当て部２１０の間の距離）を２倍程度、例えば、１．５倍〜３倍に設定することで、図４、図５に示す様に収納用具本体１の着脱を容易に行うことができる。
【００３６】
さらに、室内の入隅４の角度がかならずしも直角ではなく鋭角や鈍角に建て付けられる場合であっても、図６、図７に示す様に、係合溝２４０の幅寸法に余裕を持たせることで、収納用具本体１の着脱を可能とすることができる。
【００３７】
係合部２及び押さえ部３の左壁５及び右壁６への固定は、係合突き当て部２１０及び押さえ突き当て部３１０を壁面にビス止めするか、あるいは、かしめ固定（図示せず）するなどの手段により行うことができる。勿論、壁面に対しビス止めするか、あるいは、かしめ固定するという以外の従来公知の方法、例えば、接着等の方法で係合突き当て部２１０及び押さえ突き当て部３１０を壁面に固定しても良く、これらの固定方法に特に制限はない。
【００３８】
収納用具本体１を入隅４を形成する左壁５と右壁６に固定された係合部２及び押さえ部３への着脱方法について、図４、図５を用いて以下に説明する。
まず、収納用具本体１の向かって左側を持ち上げた状態で、右壁６に固定された係合部２の係合溝２４０に、外周枠右側後部１１２の入隅４より離隔した下方屈曲部１１８を軽く載せ、次に収納用具本体１を略円弧状の軌跡で下方へ降ろし、左壁５に固定された係合部２の係合溝２４０に外周枠左側後部１１１の左右の下方屈曲部１１８を係合する。
【００３９】
図４はその途中の状態を示す。外周枠左側後部１１１の右側の下方屈曲部１１８を左壁５の右側の係合部２の直上に位置させ、外周枠左側後部１１１の左側の下方屈曲部１１８を左壁５の左側の係合部２より若干上方に位置するまで収納用具本体１を略円弧状の軌跡に沿って下方へ降ろした状態を示している。
この状態から略円弧状の軌跡に沿って更に下方へ収納用具本体１を降ろして図１に示すように水平向きに位置を修正すると、外周枠左側後部１１１の左側の下方屈曲部１１８の直下に接合部２を嵌合できる。同時に、外周枠下部１１４が押さえ部３の下面側に当接するので収納用具本体１の位置決めを完了でき、収納用具本体１を入り隅４に取付けることができる。
【００４０】
また、逆の手順で収納用具本体１を入隅４から取外すことができる。
なお、本実施形態は右壁６に押さえ部３を設けたが、配置を左右勝手違いとして左壁５に接合部２と押さえ部３を配置し、右壁６に２つの接合部２を設けても構わない。
【００４１】
収納用具本体１の着脱による左壁５、右壁６への傷付きを、係合突き当て部２１０と押さえ突き当て部３１０を設けることで抑制することができる。即ち、係合溝２４０の壁側に係合支持部２２０の径よりも径の大きな係合突き当て部２１０と押さえ突き当て部３１０を設けている。このため、取り付け、取り外しの際、収納用具本体１が係合突き当て部２１０と押さえ突き当て部３１０には接触したり、擦ることがあっても、壁面に当たったり、壁面を擦ることを抑制できるため、壁面の傷付きや壁面への汚れ付着を防止できる。
【００４２】
図８は、収納用具本体１に収納物品７である各種ボトル類やソープケースを収納した使用状態を示す。一例として、７１０はボディソープボトル、７２０はシャンプーボトル、７３０はトリートメントボトル、７４０はヘアパックケース、７５０は石鹸箱を示している。
【００４３】
図８に示すように、収納用具本体１の底部１２０を構成する複数の支持ロッド１０１上に収納物品７である各種ボトル類を載置することができる。また、収納用具本体１の前端側に前端上部枠１０２と前端中枠１０３を設けているので収納した各種ボトル類の前方側への転倒を防止できる。
【００４４】
図９は、収納用具本体１を、係合部２だけを用いて入り隅４に取付けた状態を示す。
収納用具本体１に収納物品７を収納した場合、外周枠前部１１６に手を掛けたなどの場合、外周枠前部１１６に上方からの押下力が作用するので、外周枠入隅部１１３の上方への跳ね上がり、さらには収納用具本体１が脱落する虞がある。
【００４５】
そこで図１に示す様に、外周枠下部１１４の外周枠入隅部１１３側に上方に押さえ部３を設けることで、外周枠入隅部１１３が上方に跳ね上がることを防止できる。
従って、収納用具本体１に収納物品７を収納した場合、外周枠前部１１６に手を掛けたなどの場合であっても、外周枠入隅部１１３の上方への跳ね上がりを防止でき、収納用具本体１の脱落を防止でき、収納物品７の脱落を防止できる。
【００４６】
また、係合部２に係合蓋２３０を設けることで、収納用具本体１が入隅４から離れる方向への水平移動を抑制すると共に、外周枠縦延出部１１５により水平方向の移動も制限することができる。
【符号の説明】
【００４７】
１…収納用具本体、１０１…支持ロッド、１０２…前端上部枠、１０３…前端中枠、１０６…縦延出部、１０８、１０９…凹部、１１０…外周枠、１１１…外周枠左側後部、
１１２…外周枠右側後部、１１３…外周枠入隅部、１１４…外周枠下部、
１１５…外周枠縦延出部、１１６…外周枠前部、１１７…外周枠側部、
１１８…下方屈曲部、１１９…側方屈曲部、
１２０…底部、１３０…中枠、
２…係合部、２１０…係合突き当て部、２２０…係合支持部、２３０…係合蓋、２４０  …係合溝、
３…押さえ部、３１０…押さえ突き当て部、３２０…押さえ支持部、
４…入隅、５…左壁、６…右壁、
７…収納物品、７１０…ボディソープボトル、７２０…シャンプーボトル、７３０…トリートメントボトル、７４０…ヘアパックケース、７５０…石鹸箱。
【図１】
2020006103.tif 000003
【図２】
2020006103.tif 000004
【図３】
2020006103.tif 000005
【図４】
2020006103.tif 000006
【図５】
2020006103.tif 000007
【図６】
2020006103.tif 000008
【図７】
2020006103.tif 000009
【図８】
2020006103.tif 000010
【図９】
2020006103.tif 000011